【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
無線送信／受信ユニット（ＷＴＲＵ）で使用する方法であって、該方法は、
ＷＴＲＵのサポートされた媒体非依存ハンドオーバ（ＭＩＨ）機能を示す第１の２つ以上のビットからなる第１のＩＥＥＥ８０２．２１のＭＩＨのサポートパラメータを含むＩＥＥＥ８０２．１６加入者局（ＳＳ）の基本的機能要求（ＳＢＣ−ＲＥＱ）メッセージを生成するステップと、
基地局への前記ＳＲＣ−ＲＥＱメッセージを送信するステップと、
前記ＳＢＣ−ＲＥＱメッセージに応じて前記基地局からＳＳ基本機能応答（ＳＢＣ−ＲＳＰ）を受信するステップであって、前記ＳＢＣ−ＲＳＰメッセージは前記基地局のサポートされたＭＩＨ機能を示す第２の２つ以上のビットからなる第２のＩＥＥＥ８０２．２１ＭＩＨサポートパラメータを含む、ステップと、
前記受信したＳＢＣ−ＲＳＰメッセージに基づいて前記基地局を連結するステップと
を含み、前記２つ以上のビットは、前記基地局がＩＥＥＥ８０２．２１ＭＩＨ情報サービスをサポートしているかどうか、前記基地局がＩＥＥＥ８０２．２１ＭＩＨコマンドサービスをサポートしているかどうか、前記基地局がＩＥＥＥ８０２．２１ＭＩＴイベントサービスをサポートしているかどうか、を示す、ことを特徴とする方法。
【請求項２】
前記第２の２以上のビットの最初のビットが「１」に設定されたことを条件として、ＩＥＥＥ８０２．２１ＭＩＨがサポートされることを特徴とする請求項１に記載の方法。
【請求項３】
前記第２の２以上のビットの最初のビットが「０」に設定されたことを条件として、ＩＥＥＥ８０２．２１ＭＩＨがサポートされないことを特徴とする請求項１に記載の方法。
【請求項４】
前記ＳＢＣ−ＲＥＱメッセージと前記ＳＢＣ−ＲＳＰメッセージがＥＥＥ８０２．１６媒体アクセス制御（ＭＡＣ）管理メッセージであることを特徴とする請求項１に記載の方法。
【請求項５】
無線送信／受信ユニット（ＷＴＲＵ）であって、
ＷＴＲＵのサポートされた媒体非依存ハンドオーバ（ＭＩＨ）機能を示す第１の２つ以上のビットからなる第１のＩＥＥＥ８０２．２１のＭＩＨのサポートパラメータを含むＩＥＥＥ８０２．１６加入者局（ＳＳ）の基本的機能要求（ＳＢＣ−ＲＥＱ）メッセージを生成するように構成されたコントローラと、
基地局への前記ＳＲＣ−ＲＥＱメッセージを送信するように構成された送信機と、
前記ＳＢＣ−ＲＥＱメッセージに応じて前記基地局からＳＳ基本機能応答（ＳＢＣ−ＲＳＰ）を受信するように構成された受信機であって、前記ＳＢＣ−ＲＳＰメッセージは前記基地局のサポートされたＭＩＨ機能を示す第２の２つ以上のビットからなる第２のＩＥＥＥ８０２．２１ＭＩＨサポートパラメータを含む、受信機とを具備し、
前記コントローラは前記受信したＳＢＣ−ＲＳＰメッセージに基づいて前記基地局を連結するようにさらに構成されており、
を含み、前記２つ以上のビットは、前記基地局がＩＥＥＥ８０２．２１ＭＩＨ情報サービスをサポートしているかどうか、前記基地局がＩＥＥＥ８０２．２１ＭＩＨコマンドサービスをサポートしているかどうか、前記基地局がＩＥＥＥ８０２．２１ＭＩＴイベントサービスをサポートしているかどうか、を示す、ことを特徴とするＷＴＲＵ。
【請求項６】
前記第２の２以上のビットの最初のビットが「１」に設定されたことを条件として、ＩＥＥＥ８０２．２１ＭＩＨがサポートされることを特徴とする請求項５に記載のＷＴＲＵ。
【請求項７】
前記第２の２以上のビットの最初のビットが「０」に設定されたことを条件として、ＩＥＥＥ８０２．２１ＭＩＨがサポートされないことを特徴とする請求項５に記載のＷＴＲＵ。
【請求項８】
前記ＳＢＣ−ＲＥＱメッセージと前記ＳＢＣ−ＲＳＰメッセージがＥＥＥ８０２．１６媒体アクセス制御（ＭＡＣ）管理メッセージであることを特徴とする請求項５に記載のＷＴＲＵ。
【請求項９】
基地局で使用する方法であって、該方法は、
無線送信／受信ユニット（ＷＴＲＵ）のサポートされた媒体非依存ハンドオーバ（ＭＩＨ）機能を示す２以上のビットからなる第１のＭＩＨパラメータを示すＩＥＥＥ８０２．１６加入者局（ＳＳ）の基本的機能要求（ＳＢＣ−ＲＥＱ）メッセージを受信するステップと、
前記ＳＢＣ−ＲＥＱメッセージに応じて前記基地局からＳＳ基本機能応答（ＳＢＣ−ＲＳＰ）メッセージを生成するステップであって、前記ＳＢＣ−ＲＳＰメッセージはサポータされたＭＩＨ機能を示す第２の２つ以上のビットからなる第２のＩＥＥＥ８０２．２１ＭＩＨサポートパラメータを含む、ステップと、
前記ＳＢＣ−ＲＳＰメッセージを送信するステップと
を含み、前記２つ以上のビットは、前記基地局がＩＥＥＥ８０２．２１ＭＩＨ情報サービスをサポートしているかどうか、前記基地局がＩＥＥＥ８０２．２１ＭＩＨコマンドサービスをサポートしているかどうか、前記基地局がＩＥＥＥ８０２．２１ＭＩＴイベントサービスをサポートしているかどうか、を示すに用いることができることを特徴とする方法。
【請求項１０】
前記第２の２以上のビットの最初のビットが「１」に設定されたことを条件として、ＩＥＥＥ８０２．２１ＭＩＨがサポートされることを特徴とする請求項９に記載の方法。
【請求項１１】
前記第２の２以上のビットの最初のビットが「０」に設定されたことを条件として、ＩＥＥＥ８０２．２１ＭＩＨがサポートされないことを特徴とする請求項９に記載の方法。
【請求項１２】
前記ＳＢＣ−ＲＥＱメッセージと前記ＳＢＣ−ＲＳＰメッセージがＥＥＥ８０２．１６媒体アクセス制御（ＭＡＣ）管理メッセージであることを特徴とする請求項９に記載の方法。
【請求項１３】
基地局であって、
無線送信／受信ユニット（ＷＴＲＵ）のサポートされた媒体非依存ハンドオーバ（ＭＩＨ）機能を示す２以上のビットからなる第１のＭＩＨパラメータを示すＩＥＥＥ８０２．１６加入者局（ＳＳ）の基本的機能要求（ＳＢＣ−ＲＥＱ）メッセージを受信するように構成された受信機と、
前記ＳＢＣ−ＲＥＱメッセージに応じて前記基地局からＳＳ基本機能応答（ＳＢＣ−ＲＳＰ）メッセージを生成するように構成されたコントローラであって、前記ＳＢＣ−ＲＳＰメッセージはサポータされたＭＩＨ機能を示す第２の２つ以上のビットからなる第２のＩＥＥＥ８０２．２１ＭＩＨサポートパラメータを含む、コントローラと、
前記ＳＢＣ−ＲＳＰメッセージを送信するように構成された送信機と
を含み、前記２つ以上のビットは、前記基地局がＩＥＥＥ８０２．２１ＭＩＨ情報サービスをサポートしているかどうか、前記基地局がＩＥＥＥ８０２．２１ＭＩＨコマンドサービスをサポートしているかどうか、前記基地局がＩＥＥＥ８０２．２１ＭＩＴイベントサービスをサポートしているかどうか、を示すに用いることができることを特徴とする基地局。
【請求項１４】
前記第２の２以上のビットの最初のビットが「１」に設定されたことを条件として、ＩＥＥＥ８０２．２１ＭＩＨがサポートされることを特徴とする請求項９に記載の基地局。
【請求項１５】
前記第２の２以上のビットの最初のビットが「０」に設定されたことを条件として、ＩＥＥＥ８０２．２１ＭＩＨがサポートされないことを特徴とする請求項９に記載の基地局。
【請求項１６】
前記ＳＢＣ−ＲＥＱメッセージと前記ＳＢＣ−ＲＳＰメッセージがＥＥＥ８０２．１６媒体アクセス制御（ＭＡＣ）管理メッセージであることを特徴とする請求項９に記載の基地局。